(57)【要約】１，２，３，３，３−ペンタフルオロプロペン（ＨＦＯ−１２２５ｙｅ）及び水の共沸性及び共沸混合物様の組成物が提供される。かかる共沸性及び共沸混合物様の組成物は、１，２，３，３，３−ペンタフルオロプロペンを製造中に不純物から分離するのに有用である。本発明の共沸混合物は、同様に、発泡剤、噴射剤、冷媒、ガス滅菌用の希釈剤などのような最終組成物又は最終組成物の製造において有用である。【選択図】なし【特許請求の範囲】
【請求項１】
実質的に１，２，３，３，３−ペンタフルオロプロペン（ＨＦＯ−１２２５ｙｅ）及び水から構成される共沸性又は共沸混合物様の組成物。
【請求項２】
水が約０．１〜約５０重量％の量で与えられ、１，２，３，３，３−ペンタフルオロプロペンが約５０〜約９９．９重量％の量で与えられている、請求項１に記載の組成物。
【請求項３】
水が約０．１〜約２５重量％の量で与えられ、１，２，３，３，３−ペンタフルオロプロペンが約７５〜約９９．９重量％の量で与えられている、請求項１に記載の組成物。
【請求項４】
水が約０．２５〜約１１重量％の量で与えられ、１，２，３，３，３−ペンタフルオロプロペンが約８９〜約９９．７５重量％の量で与えられている、請求項１に記載の組成物。
【請求項５】
約１４．３ｐｓｉａ±２ｐｓｉａの圧力において約−２０℃±０．５℃の沸点を有する、請求項１に記載の組成物。
【請求項６】
実質的に有効量の水及び１，３，３，３，３−ペンタフルオロプロペンから構成されるブレンドを形成することを含む、共沸性又は共沸混合物様の組成物を形成する方法。
【請求項７】
１，２，３，３，３−ペンタフルオロプロペン及び少なくとも１種類の不純物を含む混合物から１，２，３，３，３−ペンタフルオロプロペンを取り出す方法であって、有効量の水を混合物に加えて１，２，３，３，３−ペンタフルオロプロペン及び水の共沸性又は共沸混合物様の組成物を形成し、不純物から共沸性組成物を分離することを含む上記方法。
【請求項８】
不純物が、フッ化水素；１，１，１，２，３，３−ヘキサフルオロプロパン（ＨＦＣ−２３６ｅａ）；１，１，１，２，３−ペンタフルオロプロパン（ＨＦＣ−２４５ｅｂ）；ヘキサフルオロプロピレン（ＨＦＰ）；１，１，１，２−テトラフルオロプロペン（ＨＦＯ−１２３４ｙｆ）；及びこれらの組合せからなる群から選択される、請求項７に記載の方法。
【請求項９】
水から１，２，３，３，３−ペンタフルオロプロペンを分離することを含む、１，２，３，３，３−ペンタフルオロプロペン及び水を含む共沸性混合物から１，２，３，３，３−ペンタフルオロプロペンを単離する方法。
【請求項１０】
液−液相分離、蒸留、少なくとも１種類の乾燥媒体、及びこれらの組合せからなる群から選択される方法を用いて１，２，３，３，３−ペンタフルオロプロペンを水から分離する、請求項９に記載の方法。
【発明の詳細な説明】
【技術分野】
【０００１】
[0001]本出願は、２０１０年５月６日出願の米国仮出願６１／３３１，９７１（その内容は参照として本明細書中に包含する）に関連し、その優先権の利益を主張する。
[0002]本発明は、１，２，３，３，３−ペンタフルオロプロペン（ＨＦＯ−１２２５ｙｅ）及び水の共沸性及び共沸混合物様の組成物に関する。
【背景技術】
【０００２】
[0003]伝統的に、トリクロロフルオロメタン及びジクロロジフルオロメタンのようなクロロフルオロカーボン（ＣＦＣ）は、冷媒、発泡剤、及びガス滅菌用の希釈剤として用いられている。近年においては、全ハロゲン化クロロフルオロカーボンは地球のオゾン層に対して有害である可能性があるという一般的な懸念が存在する。したがって、成層圏により安全なこれらの材料に対する代替物が望まれている。
【０００３】
[0004]現在は、塩素置換基をより少ししか含まないか又は全く含まないフッ素置換炭化水素を用いる世界的な努力が存在する。ＨＦＣ、即ち炭素、水素、及びフッ素のみを含む化合物の製造は、ＣＦＣに対する代替物を与えることができる環境的に望ましい製品を与えるための興味深い主題である。かかる化合物は、フッ化水素を種々のヒドロクロロカーボン化合物と反応させることによって製造されることが当該技術において公知である。ＨＦＣは、非オゾン層破壊性ではないので、ヒドロクロロフルオロカーボン（ＨＣＦＣ）又はクロロフルオロカーボン（ＣＦＣ）よりも遙かにより環境的に有利であると考えられるが、最近のデータはこれらはまた地球温暖化に寄与する可能性があることを示している。したがって、ＨＦＣ、ＨＣＦＣ、及びＣＦＣに対する代替物も研究されている。
【０００４】
[0005]ヒドロフルオロオレフィン（ＨＦＯ）が可能な代替物として提案されている。２種類のかかるＨＦＯは、１，２，３，３，３−ペンタフルオロプロペン（ＨＦＯ−１２２５ｙｅ）及び２，３，３，３−テトラフルオロプロペン（ＨＦＯ−１２３４ｙｆ）である。ＵＳ−２００９０２３４１６５（その内容は参照として本明細書中に包含する）において開示されているように、ＨＦＯ−１２２５ｙｅは、ＨＦＯ−１２３４ｙｆの製造において中間体として製造されることが知られている。これらのＨＦＯのそれぞれは、有効な冷媒、熱伝達媒体、噴射剤、起泡剤、発泡剤、気体状誘電体、滅菌剤キャリア、重合媒体、粒状物除去流体、キャリア流体、バフ研磨剤、置換乾燥剤、及び動力サイクル作動流体として良好に位置づけられている。
【０００５】
[0006]しかしながら、ＨＦＯは単一成分流体又は共沸性混合物（これらはいずれも沸騰及び蒸発によっては分別されない）として最も多く用いられていることが一般的に知られている。少なくとも部分的には共沸混合物の形成を相対的に予測できないために、かかる組成物を特定することは困難である。したがって、産業界は、ＣＦＣ、ＨＣＦＣ、及びＨＦＣに対する許容でき環境的により安全な代替物である新規なＨＦＯベースの混合物を継続的に探し求めている。本発明は、とりわけこれらの必要性を満足する。
【先行技術文献】
【特許文献】
【０００６】
【特許文献１】ＵＳ−２００９０２３４１６５
【発明の概要】
【０００７】
[0007]本発明は、１，２，３，３，３−ペンタフルオロプロペン（ＨＦＯ−１２２５ｙｅ）及び水の共沸性又は共沸混合物様の組成物を提供する。ＨＦＯ−１２２５ｙｅ及び水はオゾン層破壊性を少ししか乃至全く有しないので、本発明の組成物は現在用いられているＣＦＣ、ＨＦＣ、及びＨＣＦＣに対する環境的に望ましい代替物を提供する。更に、かかる共沸混合物を含む組成物は、それをＣＦＣ、ＨＦＣ、及びＨＣＦＣ代替物、並びにＨＦＯ−１２２５ｙｅ又は水単独のいずれかよりも良好にする特性を示す。
【０００８】
[0008]本発明は更に、約０．１〜約５０重量％の水及び約５０〜９９．９重量％のＨＦＯ−１２２５ｙｅのブレンドを含む組成物並びに共沸性又は共沸混合物様の組成物を形成する方法を提供する。更なる態様においては、共沸性又は共沸混合物様の組成物は、約０．１〜約２５重量％の水及び約７５〜９９．９重量％のＨＦＯ−１２２５ｙｅのブレンドを含み、更なる態様においては、それは約０．２５〜約１１重量％の水及び約８９〜９９．７５重量％のＨＦＯ−１２２５ｙｅのブレンドを含む。得られる共沸混合物は、約１４．３ｐｓｉａ±２ｐｓｉａの圧力において約−２０℃±０．５℃の沸点を有する。更なる態様においては、共沸混合物は、約１４．３ｐｓｉａの圧力において約−２０℃の沸点を有し、更なる態様においては、共沸混合物は、約１４．３９ｐｓｉａの圧力において約−２０．３℃の沸点を有する。
【０００９】
[0009]本発明はまた、有効量の水を混合物に加えて上記による共沸性又は共沸混合物様の組成物を形成することによって、１，２，３，３，３−ペンタフルオロプロペン及び少なくとも１種類の不純物を含む混合物から１，２，３，３，３−ペンタフルオロプロペンを取り出す方法にも関する。次に、蒸留など（しかしながらこれに限定されない）の当該技術において公知の標準的な方法を用いて、この共沸混合物を不純物から分離する。不純物としては、ハロカーボン又はフッ化水素（これらは１，２，３，３，３−ペンタフルオロプロペンと混和性であっても又はそうでなくてもよい）を挙げることができる。ハロカーボンの例としては、１，１，１，２，３，３−ヘキサフルオロプロパン（ＨＦＣ−２３６ｅａ）；１，１，１，２，３−ペンタフルオロプロパン（ＨＦＣ−２４５ｅｂ）；ヘキサフルオロプロピレン（ＨＦＰ）；１，１，１，２−テトラフルオロプロペン（ＨＦＯ−１２３４ｙｆ）；及びこれらの組合せが挙げられるが、これらに限定されない。更なる態様においては、不純物はまた、１，２，３，３，３−ペンタフルオロプロペン、水、或いは１，２，３，３，３−ペンタフルオロプロペンと水の混合物と共沸性混合物を形成してもよく、あるいはしなくてもよい。
【００１０】
[0010]本発明はまた、１，２，３，３，３−ペンタフルオロプロペンを水から分離することによって、１，２，３，３，３−ペンタフルオロプロペン及び水の共沸性混合物から１，２，３，３，３−ペンタフルオロプロペンを単離する方法にも関する。分離法としては、当該技術において公知の方法又は本明細書において他に議論する方法の任意の１つ又は組合せを挙げることができる。例えば、１，２，３，３，３−ペンタフルオロプロペンは、液−液相分離を用いて分離することができる。別の態様においては、１，２，３，３，３−ペンタフルオロプロペンは、蒸留及び／又は１種類以上の乾燥媒体（例えばモレキュラーシーブ、シリカアルミナなど）を用いて分離することができる。更なる態様においては、分離法として、液−液相分離と、蒸留及び／又は１種類以上の乾燥媒体から選択される第２の方法との組み合わせを挙げることができる。
【００１１】
[0011]本発明の更なる態様及び有利性は、本明細書中に与える開示事項に基づいて当業者に明らかとなるであろう。
【発明を実施するための形態】
【００１２】
[0012]本発明の一形態においては、１，２，３，３，３−ペンタフルオロプロペン（ＨＦＯ−１２２５ｙｅ）及び水の共沸性又は共沸混合物様の組成物が提供される。ＨＦＯ−１２２５ｙｅ及び水はオゾン層破壊性を僅かしか乃至全く有しないので、この組成物は、現在用いられているＣＦＣ、ＨＦＣ、及びＨＣＦＣに対する環境的に望ましい代替物を提供する。更に、かかる共沸混合物を含む組成物は、それをＣＦＣ、ＨＦＣ、及びＨＣＦＣ代替物、並びにＨＦＯ−１２２５ｙｅ又は水単独よりも良好にする特性を示す。本発明の他の形態においては、ＨＦＯ−１２２５ｙｅ及び水の共沸混合物又は共沸混合物様の組成物を用いて、純粋形態のＨＦＯ−１２２５ｙｅを単離する。本発明において用いる「ＨＦＯ−１２２５ｙｅ」とは、個々に「Ｅ」又は「Ｚ」異性体のいずれか、或いはこれらの混合物を指す。
【００１３】
[0013]本発明の目的のためには、ＨＦＯ−１２２５ｙｅ及び水の共沸混合物又は共沸混合物様の組成物は、共沸混合物のように挙動する組成物又は混合物を包含する。流体の熱力学的状態は、その圧力、温度、液体組成、及び蒸気組成によって規定される。真の共沸性組成物に関しては、所定の温度及び圧力範囲において液体組成と蒸気相が実質的に等しい。実際的な言い方をすると、これは相変化中に成分を分離することができないことを意味する。本発明の目的のためには、共沸混合物は、周囲の混合物組成物の沸点と比べて最高又は最低の沸点を示す液体混合物である。共沸混合物又は共沸混合物様の組成物は、所定の圧力下において液体形態である場合に、成分の沸点よりも高いか又は低くてよい実質的に一定の温度で沸騰し、沸騰している液体組成物と実質的に同一の蒸気組成を与える２以上の異なる成分の混合物である。本発明の目的のためには、共沸性組成物は、共沸混合物のように挙動する、即ち一定の沸点特性又は沸騰若しくは蒸発によって分別されない傾向を有する組成物を意味する共沸混合物様の組成物を包含するように定義される。而して、沸騰又は蒸発中に形成される蒸気の組成は、元の液体の組成と同一であるか又は実質的に同一である。したがって、沸騰又は蒸発中において、液体の組成は変化するとしても最小か又は無視できる程度までしか変化しない。これは、沸騰又は蒸発中に液体の組成がかなりの程度まで変化する非共沸混合物様の組成物とは対照的である。したがって、共沸混合物又は共沸混合物様の組成物の本質的特徴は、所定の圧力において液体組成物の沸点が一定であり、沸騰している組成物の上方の蒸気の組成が実質的に沸騰している液体組成物のものである、即ち液体組成物の成分の分別が実質的に起こらないことである。共沸性組成物のそれぞれの成分の沸点及び重量％はいずれも、共沸混合物又は共沸混合物様の液体組成物を異なる圧力において沸騰させると変化する可能性がある。而して、共沸混合物又は共沸混合物様の組成物は、その成分の間に存在する関係の観点、又は成分の組成範囲の観点、或いは特定の圧力おける一定の沸点によって特徴付けられる組成物のそれぞれの成分の実際の重量％の観点で規定することができる。
【００１４】
[0014]したがって、本発明は有効量のＨＦＯ−１２２５ｙｅ及び水を有する共沸混合物様の組成物を提供する。本明細書において用いる「有効量」とは、他の成分と組み合わせることによって共沸混合物様の組成物を形成するそれぞれの成分の量を意味する。幾つかの態様においては、共沸性又は共沸混合物様の組成物は、約０．１〜約５０重量％の水及び約５０〜９９．９重量％のＨＦＯ−１２２５ｙｅのブレンドを含む。更なる態様においては、共沸性又は共沸混合物様の組成物は、約０．１〜約２５重量％の水及び約７５〜９９．９重量％のＨＦＯ−１２２５ｙｅのブレンドを含み、更なる態様においては、共沸性又は共沸混合物様の組成物は、約０．２５〜約１１重量％の水及び約８９〜約９９．７５重量％のＨＦＯ−１２２５ｙｅのブレンドを含む。本発明の共沸性混合物は、約１４．３ｐｓｉａ±２ｐｓｉａの圧力において約−２０℃±０．５℃の沸点を有する。更なる態様においては、本発明の共沸性混合物は、約１４．３の圧力において約−２０℃の沸点を有する。更なる態様においては、共沸混合物は約１４．３９ｐｓｉａの圧力において約−２０．３℃の沸点を有する。
【００１５】
[0015]一態様においては、本発明方法は、ＨＦＯ−１２２５ｙｅ及びＨＦＯ−１２２５ｙｅ／水の共沸混合物を生成させる工程、及び共沸混合物を不純物から単離する工程を含む。本方法はまたＨＦＯ−１２２５ｙｅを共沸性混合物から精製する工程も含み、これは下記においてより詳細に議論する。ＨＦＯ−１２２５ｙｅは、当該技術において公知の１以上の方法を用いて製造することができる。１つの非限定的な例においては、１，２，３，３，３−ペンタフルオロプロペン（ＨＦＯ−１２２５ｙｅ）は、米国出願２００９０２３４１６５（その明細書は参照として本明細書中に包含する）に記載されているように当該技術において周知である２，３，３，３−テトラフルオロプロペン（ＨＦＯ−１２３４ｙｆ）の製造における中間体として製造される。より詳しくは、ＨＦＯ−１２２５ｙｅは、まずヘキサフルオロプロピレン（ＨＦＰ）を水素化して１，１，１，２，３，３−ヘキサフルオロプロパン（ＨＦＣ−２３６ｅａ）を生成させることによって製造することができる。これを次に、ＨＦＯ−１２２５ｙｅを生成させるための脱ハロゲン化水素化反応における反応物質として用いる。
【００１６】
[0016]この混合物又はＨＦＯ−１２２５ｙｅ及び不純物を含む任意の他の混合物からＨＦＯ−１２２５ｙｅを取り出す際の第１の工程は、ここで規定するような有効量の水を加えてＨＦＯ−１２２５ｙｅ及び水の共沸性組成物を形成することによる。その後、蒸留、スクラビング、又は他の当該技術において認められている分離手段など（しかしながらこれらに限定されない）の標準的な分離技術を用いて、共沸性組成物を不純物から分離する。一態様においては、不純物それ自体は、ＨＦＯ−１２２５ｙｅ、水、又はＨＦＯ−１２２５ｙｅ及び水の混合物と共沸性混合物を形成しない。他の態様においては、不純物は、ＨＦＯ−１２２５ｙｅ、水、又はＨＦＯ−１２２５ｙｅ及び水の混合物と共沸性混合物を形成する。ＨＦＯ−１２２５ｙｅの代表的な不純物としては、１，１，１，２，３，３−ヘキサフルオロプロパン（ＨＦＣ−２３６ｅａ）；１，１，１，２，３，−ペンタフルオロプロパン（ＨＦＣ−２４５ｅｂ）；ヘキサフルオロプロピレン（ＨＦＰ）；１，１，１，２−テトラフルオロプロペン（ＨＦＯ−１２３４ｙｆ）；及びこれらの組合せなど（しかしながらこれらに限定されない）のＨＦＯ−１２２５ｙｅと混和性であってよい他のハロカーボンが挙げられるが、これらに限定されない。更なる態様においては、不純物はフッ化水素である。
【００１７】
[0017]この精製した共沸混合物は、オゾン層破壊性を有さず、地球温暖化に対する寄与が無視できるものであり、不燃性であるＨＦＯ混合物に対する当該技術における必要性を満足する。かかる混合物は、冷媒、発泡剤、噴射剤、及びガス滅菌用の希釈剤など（しかしながらこれらに限定されない）の広範囲の用途において用いることができる。共沸混合物は、かかる目的のための他の有用な添加剤又は成分と組み合わせて与えることができる。
【００１８】
[0018]精製の後に、ＨＦＯ−１２２５ｙｅ及び水の共沸混合物の成分部分を分離して精製形態のＨＦＯ−１２２５ｙｅにすることが望ましい可能性もある。分離法としては、当該技術において一般的に知られている任意の方法を挙げることができる。例えば一態様においては、液−液相分離によって過剰の水をＨＦＯ−１２２５ｙｅから除去することができる。残りの水は、次に蒸留及び／又は１種類以上の乾燥媒体（例えばモレキュラーシーブ、シリカアルミナなど）によってＨＦＯ−１２２５ｙｅから除去することができる。精製したＨＦＯ−１２２５ｙｅは、最終製品として（即ち、冷媒、発泡剤、噴射剤、ガス滅菌用の希釈剤などとして）用いることができ、或いは別のＨＦＯ又は同様の化合物を製造するために更に処理することができる。
【００１９】
[0019]以下の非限定的な実施例は本発明を例示するように働く。
【実施例】
【００２０】
[0020]実施例１:
[0021]まず、ドライアイス冷却凝縮器を取り付けたガラス製の真空断熱容器にＨＦＯ−（Ｚ）−１２２５ｙｅを充填した。次に、水を徐々に増加させて加え、混合物の温度を記録した。混合物の温度は最小値に達し、次に一定になり、これは不均一共沸混合物が形成されたことを示した。測定中の雰囲気圧力は１４．３ｐｓｉａであった。測定された温度を表１に示す。
【００２１】
【表１】
2013529234.tif 000002
【国際調査報告】
2013529234.tif 000003
2013529234.tif 000004